(57)【要約】【課題】複数のフレームを精度良く結合させるとともに、狭額縁化を実現する。【解決手段】第１の板状部材は、ディスプレイ本体の角部分でL字状に折り曲げられた板状の部材であって、フレームどうしの位置合わせを行い、第２の板状部材は、ディスプレイ本体の角部分でL字状に折り曲げられた板状の部材であって、第１の板状部材により位置合わせが行われたフレームどうしを結合させ、固定部材は、ディスプレイ本体の面に垂直な額縁の面に、第１の板状部材及び第２の板状部材を固定する。本開示は、例えば、画像を表示する表示装置に適用することができる。【選択図】図３
2014048380.tif 000002
【特許請求の範囲】
【請求項１】
画像を表示するディスプレイ本体と、
前記ディスプレイ本体の周囲を囲むフレームどうしを、前記ディスプレイ本体の角部分で結合することにより形成された額縁と、
前記ディスプレイ本体の角部分でL字状に折り曲げられた板状の部材であって、前記フレームどうしの位置合わせを行う第１の板状部材と、
前記ディスプレイ本体の角部分でL字状に折り曲げられた板状の部材であって、前記第１の板状部材により位置合わせが行われた前記フレームどうしを結合させる第２の板状部材と、
前記ディスプレイ本体の面に垂直な前記額縁の面に、前記第１の板状部材及び前記第２の板状部材を固定する固定部材と
を含む表示装置。
【請求項２】
前記第１の板状部材は、一部を第１のフレームに挿入し、前記ディスプレイ本体の角部分でL字状に折り曲げられた前記第１の板状部材の残りの部分を、前記第１のフレームと結合される第２のフレームに挿入することにより、前記第１のフレームと前記第２のフレームの位置合わせを行い、
前記第２の板状部材は、一部に設けられた突出部位を、前記第１のフレームの内部に設けられた凹部に嵌め込み、前記ディスプレイ本体の角部分でL字状に折り曲げられた前記第２の板状部材の残りの部分に設けられた突出部位を、前記第２のフレームの内部に設けられた凹部に嵌め込むことにより、前記第１のフレームと前記第２のフレームを結合させる
請求項１に記載の表示装置。
【請求項３】
前記固定部材はネジであり、
前記第１の板状部材及び前記第２の板状部材には、同一の工具を用いて形成された、前記ネジを通すためのネジ穴が設けられている
請求項２に記載の表示装置。
【発明の詳細な説明】
【技術分野】
【０００１】
本開示は、表示装置に関し、特に、例えば、ディスプレイ本体の額縁を形成する複数のフレームを精度良く結合させるとともに、狭額縁化を実現できるようにした表示装置に関する。
【背景技術】
【０００２】
従来、例えば、テレビジョン受像機等において、複数のフレームを結合させることにより、ディスプレイ本体の周囲を囲む額縁(ベゼル)を形成する形成方法が存在する（例えば、特許文献１乃至４参照）。
【０００３】
この形成方法によれば、例えば、額縁を打ち抜き加工等で製造する場合と比較して、材料を効率良く使用できるため、製造コストを低く抑えることができる。
【先行技術文献】
【特許文献】
【０００４】
【特許文献１】特開２００６‐５４１７７号公報
【特許文献２】特開２００６‐２６７７５５号公報
【特許文献３】特開２００７‐８６６２５号公報
【特許文献４】特開２００８‐５２０３９号公報
【発明の概要】
【発明が解決しようとする課題】
【０００５】
しかしながら、従来の形成方法では、各フレームを結合させるための構造によっては、額縁の幅が広くなってしまったり、フレームの結合部分に隙間等が生じてしまっていた。
【０００６】
本開示は、このような状況に鑑みてなされたものであり、複数のフレームを精度良く結合させるとともに、表示装置の狭額縁化を実現できるようにするものである。
【課題を解決するための手段】
【０００７】
本開示の一側面の表示装置は、画像を表示するディスプレイ本体と、前記ディスプレイ本体の周囲を囲むフレームどうしを、前記ディスプレイ本体の角部分で結合することにより形成された額縁と、前記ディスプレイ本体の角部分でL字状に折り曲げられた板状の部材であって、前記フレームどうしの位置合わせを行う第１の板状部材と、前記ディスプレイ本体の角部分でL字状に折り曲げられた板状の部材であって、前記第１の板状部材により位置合わせが行われた前記フレームどうしを結合させる第２の板状部材と、前記ディスプレイ本体の面に垂直な前記額縁の面に、前記第１の板状部材及び前記第２の板状部材を固定する固定部材とを含む表示装置である。
【０００８】
前記第１の板状部材は、一部を第１のフレームに挿入し、前記ディスプレイ本体の角部分でL字状に折り曲げられた前記第１の板状部材の残りの部分を、前記第１のフレームと結合される第２のフレームに挿入することにより、前記第１のフレームと前記第２のフレームの位置合わせを行い、前記第２の板状部材は、一部に設けられた突出部位を、前記第１のフレームの内部に設けられた凹部に嵌め込み、前記ディスプレイ本体の角部分でL字状に折り曲げられた前記第２の板状部材の残りの部分に設けられた突出部位を、前記第２のフレームの内部に設けられた凹部に嵌め込むことにより、前記第１のフレームと前記第２のフレームを結合させることができる。
【０００９】
前記固定部材はネジであり、前記第１の板状部材及び前記第２の板状部材には、同一の工具を用いて形成された、前記ネジを通すためのネジ穴が設けられているようにすることができる。
【００１０】
本開示の一側面によれば、前記第１の板状部材により、前記フレームどうしの位置合わせが行われ、前記第２の板状部材により、前記第１の板状部材により位置合わせが行われた前記フレームどうしが結合され、前記固定部材により、前記ディスプレイ本体の面に垂直な前記額縁の面に、前記第１の板状部材及び前記第２の板状部材が固定される。
【発明の効果】
【００１１】
本開示によれば、複数のフレームを精度良く結合させるとともに、表示装置の狭額縁化を実現することが可能となる。
【図面の簡単な説明】
【００１２】
【図１】狭額縁化されたテレビジョン受像機の外観例を示す図である。
【図２】額縁の角部分に設けられる複数の部材を示す図である。
【図３】フレームどうしを結合したときの断面図である。
【図４】図３左側から額縁を見たときの断面図である。
【発明を実施するための形態】
【００１３】
以下、本開示における実施の形態（以下、本実施の形態という）について説明する。なお、説明は以下の順序で行う。
１．本実施の形態（ディスプレイ本体の角部分でフレームどうしを結合するときの一例）
２．変形例
【００１４】
＜１．本実施の形態＞
[本開示の概要]
図１は、本実施の形態におけるテレビジョン受像機１の外観例を示している。
【００１５】
このテレビジョン受像機１は、画像を表示するディスプレイ本体２０、及びディスプレイ本体２０の周囲を囲む額縁２１から構成される。なお、額縁２１は、複数のフレーム２１a乃至２１dから構成される。フレーム２１a乃至２１dは、例えば、アルミニウム合金等の金属から形成される。
【００１６】
また、ディスプレイ本体２０の角部分、つまり、直角に曲がった額縁２１の角部分において、フレーム２１a乃至２１dが結合される。すなわち、図１において、ディスプレイ本体２０の図中右上の角部分では、フレーム２１aとフレーム２１bが結合され、ディスプレイ本体２０の図中右下の角部分では、フレーム２１bとフレーム２１cが結合される。
【００１７】
さらに、図１において、ディスプレイ本体２０の図中左下の角部分では、フレーム２１cとフレーム２１dが結合され、ディスプレイ本体２０の図中左上の角部分では、フレーム２１dとフレーム２１aが結合される。
【００１８】
次に、図２は、額縁２１の角部分に設けられる部材の一例を示している。
【００１９】
板状部材４１及び４２は、それぞれ、L字上に折り曲げれられた板状の部材であり、フレーム２１aとフレーム２１bを結合する。そして、板状部材４１及び４２は、例えば、固定部材４３及び４４により、フレーム２１bに固定される。
【００２０】
ここで、固定部材４３及び４４としては、例えば、図２に示されるように、ネジ等を採用することができる。
【００２１】
板状部材４１は、フレーム２１aとフレーム２１bの位置合わせを行う。
【００２２】
すなわち、例えば、板状部材４１は、その一部４１aを、フレーム２１aの挿入口６１aに挿入し、L字状に折り曲げられた板状部材４１の残りの部分４１bを、フレーム２１bの挿入口６１bに挿入することにより、フレーム２１aとフレーム２１bの位置合わせを行う。
【００２３】
また、板状部材４１の残りの部分４１bには、図２に示されるように、固定部材４３及び４４としてのネジをそれぞれ通すためのネジ穴が設けられている。
【００２４】
板状部材４２は、板状部材４１による位置合わせ後の位置で、フレーム２１aとフレーム２１bを結合させる。
【００２５】
すなわち、例えば、板状部材４２は、その一部４２aを、フレーム２１aの開口部６２a内で接続し、L字状に折り曲げられた板状部材４２の残りの部分４２bを、フレーム２１aの開口部６２b内で接続することにより、フレーム２１aとフレーム２１bを結合させる。
【００２６】
また、板状部材４２の残りの部分４２bには、図２に示されるように、固定部材４３及び４４としてのネジをそれぞれ通すためのネジ穴が設けられている。
【００２７】
なお、板状部材４１の部分４１bと、板状部材４２の部分４２bには、同じ種類の加工器具（例えば、加工バイト等）を用いて、ネジ穴が設けられる。このため、例えば、別々の加工器具を用いる場合と比較して、ネジ穴の加工時のコストを抑制することができる。
【００２８】
固定部材４３及び４４は、例えば、ネジ等であり、板状部材４２の残りの部分４２bに形成されたネジ穴、及び板状部材４１の残りの部分４１bに形成されたネジ穴を介して、フレーム２１bの開口部６２bを囲む内側の壁に打ち込まれる。
【００２９】
ここで、ネジ穴には、螺旋状の溝を設けるようにしてもよいし、設けないようにしてもよい。ネジ穴の内側に螺旋状の溝を設けるためのタップ加工を行わないようにすれば、ネジ穴の加工時のコストをより抑制することが可能となる。
【００３０】
次に、図３は、フレーム２１a及びフレーム２１bを結合したときの断面図を示している。
【００３１】
板状部材４１において、その一部４１aは、フレーム２１aの挿入口６１aに、L字状に折り曲げられた板状部材４１の残りの部分４１bは、フレーム２１bの挿入口６１bに、それぞれ挿入される。
【００３２】
これにより、板状部材４１は、フレーム２１aとフレーム２１bの位置合わせを行う。すなわち、板状部材４１は、図３に示されるように、フレーム２１aの挿入口６１a及び開口部６２aと、フレーム２１bの挿入口６１b及び開口部６２bどうしが合致するように、フレーム２１aとフレーム２１bを接続する。
【００３３】
このため、板状部材４２は、フレーム２１aとフレーム２１bを、精度良く結合させることが可能となる。
【００３４】
また、板状部材４１により、フレーム２１aが、図中上下方向（Y方向）にずれないように固定され、フレーム２１bが、図中左右方向(X方向)にずれないように固定される。
【００３５】
板状部材４２において、板状部材４２の一部４２aには、突出部位４２a'が設けられており、突出部位４２a'は、フレーム２１aの開口部６２aを形成する壁のうち、図中上側の壁(ディスプレイ本体２０の面に垂直な面)に設けられた凹部６２a'に嵌め込まれる。
【００３６】
また、板状部材４２の残りの部分４２bには、突出部位４２b'が設けられており、突出部位４２b'は、フレーム２１bの開口部６２bを形成する壁のうち、図中右側の壁(ディスプレイ本体２０の面に垂直な面)に設けられた凹部６２b'に嵌め込まれる。
【００３７】
これにより、フレーム２１aが、図中X方向にずれないように固定され、フレーム２１bが、図中Y方向にずれないように固定される。
【００３８】
固定部材４３及び４４は、例えばネジ等であり、板状部材４２の残りの部分４２bと、板状部材４１の残りの部分４１bを、図中左から右方向に向かって打ち付ける。
【００３９】
これにより、固定部材４３及び４４は、板状部材４１及び４２を、フレーム２１bの開口部６２bを形成する壁のうち、図中右側の壁に固定する。
【００４０】
このため、例えば、固定部材４３及び４４を、図中手前から奥行き方向に向かって打ち込む場合と比較して、フレーム２１bの幅(図中左右方向の長さ)を狭くすることができ、ひいては額縁２１の狭額縁化を実現することが可能となる。
【００４１】
また例えば、フレーム２１bの開口部６２bを形成する壁のうち、図中右側の壁に、固定部材４３及び４４としてのネジを打ち込むようにしたので、ネジを打ち込むための専用の部材を新たに設ける場合と比較して、額縁２１を容易に製造することができる。よって、テレビジョン受像機１の製造コストを抑制することが可能となる。
【００４２】
次に、図４は、図３のフレーム２１aを、図３左側から見たときの断面図を示している。
【００４３】
板状部材４１の一部４１aは、図４に示されるように、フレーム２１aの挿入口６１aに挿入される。
【００４４】
また、開口部６２bには、固定部材４３としてのネジにより、L字状に折り曲げられた板状部材４２bが固定される。
【００４５】
＜２．変形例＞
本実施の形態では、テレビジョン受像機１の額縁２１の結合方法に付いて説明したが、本技術は、画像を表示するいずれの表示装置に設けられる額縁に適用することができる。
【００４６】
なお、本技術は、以下の構成をとることができる。
（１）画像を表示するディスプレイ本体と、前記ディスプレイ本体の周囲を囲むフレームどうしを、前記ディスプレイ本体の角部分で結合することにより形成された額縁と、前記ディスプレイ本体の角部分でL字状に折り曲げられた板状の部材であって、前記フレームどうしの位置合わせを行う第１の板状部材と、前記ディスプレイ本体の角部分でL字状に折り曲げられた板状の部材であって、前記第１の板状部材により位置合わせが行われた前記フレームどうしを結合させる第２の板状部材と、前記ディスプレイ本体の面に垂直な前記額縁の面に、前記第１の板状部材及び前記第２の板状部材を固定する固定部材とを含む表示装置。
（２）前記第１の板状部材は、一部を第１のフレームに挿入し、前記ディスプレイ本体の角部分でL字状に折り曲げられた前記第１の板状部材の残りの部分を、前記第１のフレームと結合される第２のフレームに挿入することにより、前記第１のフレームと前記第２のフレームの位置合わせを行い、前記第２の板状部材は、一部に設けられた突出部位を、前記第１のフレームの内部に設けられた凹部に嵌め込み、前記ディスプレイ本体の角部分でL字状に折り曲げられた前記第２の板状部材の残りの部分に設けられた突出部位を、前記第２のフレームの内部に設けられた凹部に嵌め込むことにより、前記第１のフレームと前記第２のフレームを結合させる前記（１）に記載の表示装置。
（３）前記固定部材はネジであり、前記第１の板状部材及び前記第２の板状部材には、同一の工具を用いて形成された、前記ネジを通すためのネジ穴が設けられている前記（１）又は（２）に記載の表示装置。
【符号の説明】
【００４７】
１  テレビジョン受像機,  ２０  ディスプレイ本体,  ２１  額縁，  ２１a乃至２１d  フレーム，  ４１，４２  板状部材，  ４３，４４  固定部材
【図１】
2014048380.tif 000003
【図２】
2014048380.tif 000004
【図３】
2014048380.tif 000005
【図４】
2014048380.tif 000006